(57)【要約】【課題】上下の階を仕切るコンクリートスラブからなる床を備えた建築物の建築現場において、下層の階に連通するように前記床に形成された開口部の周縁から、該開口部の周囲の床面上に溜まった雨水が流下するのを防止する。【解決手段】開口部の予定された周縁を取り囲むことが可能な形状を有する枠体１２と、床の形成後において枠体１２の上面側から取外し操作が可能な固定部材１４により枠体１２の下面に取り外し可能に固定されて、枠体１２の上部が床面よりも上方に位置しかつ枠体１２の下部が床面よりも下方に位置する態様で開口部の予定された周縁を取り囲むように、床の形成に先立って枠体を支持する４本の支持脚１６とからなる防水装置１０を用いる。【選択図】          図２
2004270251.tif 000002
【特許請求の範囲】
【請求項１】
上下の階を仕切るコンクリートスラブからなる床を備えた建築物の建築現場において、下層の階に連通するように前記床に形成された開口部の周縁から、該開口部の周囲の床面上に溜まった雨水が下層の階に流下するのを防止する装置であって、
前記開口部の予定された周縁を取り囲むことが可能な形状を有する枠体と、
前記床の形成後において前記枠体の上面側から取外し操作が可能な固定部材により前記枠体の下面に取り外し可能に固定されて、前記枠体の上部が予定された床面よりも上方に位置しかつ該枠体の下部が前記予定された床面よりも下方に位置する態様で前記開口部の予定された周縁を取り囲むように、前記床の形成に先立って前記枠体を支持する複数本の支持脚と、
を備えていることを特徴とする、コンクリートスラブからなる床の開口部の防水装置。
【請求項２】
前記支持脚が、前記床の形成時に該床の下面を規定する型枠の上面に下端を当接させて前記枠体を所定の高さに支持する長さを有することを特徴とする請求項１記載の装置。
【請求項３】
前記支持脚が、棒材と、該棒材の上端部に取り付けられたナットとを備え、前記固定部材が、前記枠体の上面側から該枠体を上下方向に貫通して下端部を前記ナットに螺着されるボルトまたはボルト状体からなることを特徴とする請求項２記載の装置。
【請求項４】
前記棒材がねじ棒からなり、前記ナットが前記ねじ棒の上端部に螺装された長ナットからなり、前記ボルトまたはボルト状体の下端部が前記長ナットの上端部に螺着されることを特徴とする請求項３記載の装置。
【請求項５】
前記支持脚の下端部に、該下端部を覆うプラスチック製カバー部材が取り付けられていることを特徴とする請求項３または４記載の装置。
【請求項６】
前記枠体の前記床に対向する表面に防水用パッキンが取り付けられていることを特徴とする請求項１から５のいずれか１項記載の装置。
【請求項７】
上下の階を仕切るコンクリートスラブからなる床を備えた多層建築の建築現場において、下層の階に連通するように前記床に形成された開口部の周縁から、該開口部の周囲の床面上に溜まった雨水が下層の階に流下するのを防止するための防水装置であって、
前記開口部を覆うように前記床面上に載置される蓋部材と、
前記開口部を上下に通過可能であるが、向きを変えることにより、前記床の下面において前記開口部の所定の対向縁間に橋架することが可能な長さを有する橋架部材と、
前記蓋部材と前記橋架部材とを連結する連結部材と、
前記蓋部材の上面側からの操作により、前記床の下面側において前記開口部の所定の対向縁間に橋架された前記橋架部材を前記連結部材とともに上方へ移動させて、前記蓋部材と前記橋架部材との間に前記床を挟み込む態様で前記蓋部材を前記床面に圧接させる操作部材と、
を備えていることを特徴とする、コンクリートスラブからなる床の開口部の防水装置。
【請求項８】
前記蓋部材の下面の周縁部に防水性パッキンが取り付けられていることを特徴とする請求項７記載の装置。
【請求項９】
前記橋架部材が、前記蓋部材の上面側からの前記連結部材の回動操作により、前記開口部を上下に通過可能な角度位置と、前記開口部の所定の対向縁間に橋架可能な角度位置との間で回動されることを特徴とする請求項７または８記載の装置。
【請求項１０】
前記連結部材が、下端部を前記橋架部材に固定されかつ螺溝を備えた上端部を前記蓋部材の上面から突出させた棒材からなり、前記操作部材が、前記蓋部材の上面から突出した前記連結部材の上端部に螺装された操作ナットからなることを特徴とする請求項９記載の装置。
【発明の詳細な説明】
【０００１】
【発明の属する技術分野】
本発明は、上下の階を仕切るコンクリートスラブからなる床を備えた建築物の建築現場において、下層の階に連通するように前記床に形成された開口部の周縁から、該開口部の周囲の床面上に溜まった雨水が下層の階に流下するのを防止するための防水装置に関するものである。
【０００２】
【従来の技術】
高層マンション等の建築現場においては、一般に下方の階の部屋から上方へ向かって順次工事を完成させて行く方法が採られており、その際のコンクリースラブからなる床の形成時に、下層の階に連通する「ダメ穴」と呼ばれる開口部を予め開けておき、下層の階の形成に使用したコンクリート型枠（通称コンパネ）、支柱等の建築用機材を、上記開口部を通じて上層の階に運び上げるようにしている。
【０００３】
そのため、床には、定尺（約９００ｍｍ×１８００ｍｍ）のコンパネを運び上げることができるように、例えば１０００ｍｍ×３０ｍｍ程度の平面形を有する開口部が設けられる。そしてこの開口部は、不要になった時点以降に適当な鉄筋を入れてコンクリートで塞がれるようになっている。
【０００４】
【発明が解決しようとする課題】
しかしながら、上記のような開口部が存在すると、降雨の際に雨水がこの開口部を通じて下層の階に流れ込む虞れがあるため、従来は雨天の際に、開口部を板材等で覆うことによって凌いでいたが、単に板材等で開口部を覆うだけでは、その板材等が開口部からずれてしまう虞れがあり、しかも床面上に溜まった雨水が、床面と板材等の間の隙間から下層の階に流下するのを防止することは不可能である。
【０００５】
特にマンション等の工事では、工期を短縮するために、未だ開口部が塞がれていない状態で階下の部屋では内装工事が開始されるという場合が多々あり、この開口部からの下層の階への雨水の流下は、上記内装工事のやり直しを余儀なくされる等の由々しい問題を惹起することがあった。
【０００６】
そこで、開口部の周囲の床面上に溜まった雨水が開口部の周縁から階下に流下する虞れのあるときには、急遽開口部の周囲にコンクリートを盛り上げて堤防を築く等の応急処置が採られることもあったが、一旦水に濡れた床面はコンクリートとなじみにくく、また堤防を築くための手間を必要とするので、良策とは言えなかった。
【０００７】
そこで本発明は、上記開口部の周囲の床面上に溜まった水がこの開口部の周縁から下層の階に流下するのを完全に防止することができる装置を提供することを目的とするものである。
【０００８】
【課題を解決するための手段】
本願第１の発明は、上記開口部を含む床の形成に先立って設けられる防水装置であって、上記開口部の予定された周縁を取り囲むことが可能な形状を有する枠体と、上記床の形成後において上記枠体の上面側から取外し操作が可能な固定部材により上記枠体の下面に取外し可能に固定されて上記枠体を所定位置に支持する複数本の、例えば４本の支持脚とを備えていることを特徴とするものである。
【０００９】
上記支持脚は、上記枠体の上部が予定された床面よりも上方に位置しかつこの枠体の下部が予定された床面よりも下方に位置する態様で上記開口部の予定された周縁を取り囲むように上記枠体を支持するように構成される。
【００１０】
上記枠体は、例えば上記開口部が長方形の場合、その平面形状に対応させて長方形に形成されるが好ましい。また、枠体を構成する棒状部材の外表面の断面形状は、床の形成後に床から撤去することが容易な下方が狭まった形状、例えば円、逆台形等が好ましい。
【００１１】
上記支持脚は、床の形成時にこの床の下面を規定する型枠（コンパネ）の上面に下端を当接させて枠体を所定の高さに支持する長さを有することが好ましい。
【００１２】
また、上記支持脚は、棒材と、この棒材の上端部に取り付けられたナットとを備えたもので構成することができ、上記固定部材は、上記枠体の上面側からこの枠体を上下方向に貫通して下端部が上記ナットに螺着されるボルトまたはボルト状体によって構成することができる。
【００１３】
上記棒材はねじ棒とすることが好ましく，その場合、上記ナットを上記ねじ棒の上端部に螺着される長ナットとして、この長ナットの上端部に上記ボルトまたはボルト状体の下端部が螺着されることが好ましい。
【００１４】
上記支持脚の下端部には、この下端部を覆うプラスチック製カバー部材が取り付けられていることが好ましい。
【００１５】
さらに、上記枠体の床に対向する表面に防水用パッキンが取り付けられていることが好ましい。
【００１６】
本願第２の発明は、上記開口部を含む床の形成後に設けられる防水装置であって、上記開口部を覆って前記床の上面に載置される蓋部材と、上記開口部を上下に通過可能であるが、向きを変えることにより、床の下面側において上記開口部の所定の対向縁間に橋架することが可能な長さを有する橋架部材と、上記蓋部材と上記橋架部材とを連結する連結部材と、上記蓋部材の上面側からの操作により、床の下面側において開口部の所定の対向縁間に橋架された上記橋架部材を連結部材とともに上方へ移動させて、蓋部材と橋架部材との間に床を挟み込む態様で蓋部材を床面に圧接させる操作部材とを備えていることを特徴とするものである。
【００１７】
上記蓋部材の下面の周縁部に防水性パッキンが取り付けられていることが好ましいが、蓋部材が、床面の凹凸に応じて変形される材料で形成されている場合には、パッキンを省略することができる。
【００１８】
上記橋架部材は、蓋部材の上面側からの上記連結部材の回動操作により、上記開口部を上下に通過可能な角度位置と、上記開口部の所定の対向縁間に橋架可能な角度位置との間で回動されるように構成されることが好ましい。なお、この橋架部材の回動は、水平面内のみでなく、垂直面内であってもよい。
【００１９】
また、上記連結部材は、下端部を上記橋架部材に固定されかつ螺溝を備えた上端部を上記蓋部材の上面から突出させた棒材からなることが好ましく、その場合に上記操作部材は、蓋部材の上面から突出した連結部材の上端部に螺装された操作ナットにより構成することができるが、上記操作部材はナットに限らず、例えば梃子の原理を利用して、上記橋架部材を上方へ移動させるような構成を有するものであってもよい。
【００２０】
【発明の効果】
本願第１の発明によれば、コンクリ−トスラブからなる床の形成に先立って、上記枠体はその上部が床の予定された上面よりも上方に位置するように支持脚で支持されるので、床の形成後、上部を床面上に突出させた態様で床に固定された上記枠体の上部によって、上記開口部を取り囲む防水堰が形成される。したがって、上記開口部の周囲の床面上に溜まった水がこの開口部の周縁から下層の階に流下するのを防止することができる。
【００２１】
また、上記支持脚は、床の形成後は床の内部に閉じ込められるが、これら支持脚が、枠体の上面側から取外し操作が可能な固定部材によって枠体の下面に取り外し可能に固定されているので、上記開口部を利用する必要性が解消したときに、上記固定部材の操作により、枠体を床から撤去して再利用することができる。
【００２２】
さらに、上記支持脚が、床の形成時にこの床の下面を規定する型枠の上面に下端を当接させて枠体を所定の高さに支持する長さを有する場合には、床面に対する枠体の相対的な高さを正確に規定することができる。
【００２３】
上記支持脚は、棒材と、この棒材の上端部に取り付けられたナットとによって構成することができるが、特に上記棒材をねじ棒（全ねじ棒が好ましい）で構成し、上記ナットを、このねじ棒の上端部に螺装された長ナットとした場合、ねじ棒と長ナットとの相対回転により支持脚の長さを微調整することができ、また、長さの異なるねじ棒の交換により、床の厚さが異なる場合に容易に対応することができる。さらに、枠体の上面側からこの枠体を上下方向に貫通して下端部が前記長ナットの上端部に螺着される固定部材は、既製のボルト以外に、支持脚を構成するねじ棒と同径、同ピッチの既製の全ねじ棒の一端に、二重ナットを螺着したものを用いることができるから、作成も容易である。
【００２４】
さらに、支持脚の下端部に、この下端部を覆うプラスチック製カバー部材を取り付けることにより、型枠を取り外した後の床の下面（下層の階の天井面）に金属製の棒材の下端が露出するのを回避することができ、これによって、その金属部分から錆がコンクリートスラブ内に侵入するのを防止することができる。
【００２５】
また、上記枠体の床に対向する表面に防水用パッキンを取り付けておくことにより、枠体による防水機能をさらに高めることができる。
【００２６】
本願第２の発明によれば、上記開口部を覆って床面上に載置される蓋部材と、上記開口部を上下に通過可能であるが、向きを変えることにより、床の下面側において上記開口部の所定の対向縁間に橋架することが可能な長さを有する橋架部材と、蓋部材と橋架部材とを連結する連結部材と、上記蓋部材の上面側からの操作により、床の下面側において開口部の所定の対向縁間に橋架された上記橋架部材を連結部材とともに上方へ移動させて、蓋部材と橋架部材との間に床を挟み込む態様で蓋部材を床面に圧接させる操作部材とを備えていることにより、上記開口部の周囲の床面上に溜まった水がこの開口部の周縁から下層の階に流下するのを防止することができるとともに、上記橋架部材を床面側から装着することがでるので、上記蓋部材を開口部に固定する作業、およびこの蓋部材を開口部から撤去する作業が、床面側からの一人の作業者の操作によって行なうことができる利点がある。
【００２７】
すなわち、例えば、長方形の開口部の短辺よりも長いが長辺よりも短い長さに設定した橋架部材を、連結部材の下端部に連結部材と直交するように固定して、橋架部材を開口部に挿入するときには、橋架部材をその長さ方向が開口部の長辺と平行になる向きに保持すればよい。そして、床の下面側において橋架部材が開口部の短辺と平行になるように、連結部材を蓋部材の上面側から約９０度回動させた後に、操作部材を操作して、蓋部材と橋架部材との間に床を挟み込めばよい。
【００２８】
この防水装置を開口部から撤去する場合には、上記操作とは逆の操作を行なうことにより、この防水装置を容易に開口部から撤去することができる。
【００２９】
【発明の実施の形態】
以下、図面に示す実施の形態に基づいて本発明を詳細に説明する。
【００３０】
図１〜図３は、本願第１の発明による防水装置の一実施の形態を示す図で、図１はこの防水装置を装着した床の開口部を示す平面図、図２は防水装置の分解斜視図、図３は防水装置の要部の拡大断面図である。
【００３１】
この防水装置１０は、床１に形成された長方形の開口部２の周縁を取り囲んで下半部を床１に埋設させた長方形の枠体１２と、この枠体１２の四隅部の下面に、それぞれ固定部材１４により取外し可能に取り付けられる支持脚１６とから構成されている。
【００３２】
図３から明らかなように、枠体１２は、鉄製またはプラスチック製のパイプからなり、上記支持脚１６を取り付けるための上下に貫通する取付け孔１８を四隅部に備えている。
【００３３】
支持脚１６は、床１の厚さに対応して長さが選択された全ねじ棒２０と、この全ねじ棒２０の上端部に下部が螺装された長ナット２２と、全ねじ棒２０に螺装されて、全ねじ棒２０を長ナット２２に固定するロックナット２４と、全ねじ棒２０の下端部に螺装されてこの下端部を覆うプラスチック製のカバー部材２６とから構成されている。
【００３４】
固定部材１４は、全ねじ棒２０と同径、同ピッチの全ねじ棒２８と、この全ねじ棒２８の上端部に螺装されてボルト頭として機能する二重ナット２９，２９とを備えてボルト状に形成され、枠体１２の孔１８を貫通させた全ねじ棒２８の下端部を支持脚１６の長ナット２２の上部に螺装することによって、支持脚１６が枠体１２の下面に取外し可能に固定されている。
【００３５】
図４は、開口部を含む床の形成に先立って、上述した防水装置１０を所定位置に配置した状態を示す断面図である。
【００３６】
床１の形成に際しては、下層階の床１１上に多数の支柱３を立てて、図４の左右方向に延びる支持部材４を支持し、この支持部材４上に、図４の紙面に直交する方向に延びる多数の支持部材５を並べ、これら支持部材５上に、床１の底面を規定する型枠（コンパネ）６を敷き並べてある。また、型枠６上には、開口部２の予定された周縁位置２Ａを規定する型枠７が設けられ、この型枠７を枠体１２が取り囲む態様で、かつ支持脚１６の全ねじ棒２０の下端部に螺装されたプラスチック製カバー部材２６の底面２６ａが型枠６の上面６ａに接する態様で、この防水装置１０が型枠６上に載置される。そして、枠体１２の略上半分が予定された床面１Ａよりも上方に位置し、かつ枠体１２の略下半分が床１の予定された床面１Ａよりも下方に位置するように、支持脚１６の長さが調節される。
【００３７】
この状態で、床１を形成するために型枠６にコンクリートが打ち込まれると、図５および図５の要部の拡大断面図である図６に示すように、型枠７の周囲にコンクリートが充填され、枠体１２の略上半分が床面１ａ上に突出し、かつ枠体１２の略下半分が床１内に埋設された状態となる。したがって、コンクリートの硬化後、型枠６，７を除去すると、図１および図７に示すように、床１に開口部２が形成されるとともに、この開口部２の周縁を取り囲む枠体１２によって防水堰が形成され、これによって、開口部２の周囲の床面１ａ上に溜まった水がこの開口部２の周縁から下層の階に流下するのを防止することができる。
【００３８】
そして、支持脚１６の全ねじ棒２０の下端部に螺装されたプラスチック製カバー部材２６の底面２６ａが床１の下面１ｂに露出するが、金属（鉄系）製の全ねじ棒２０の下端は外気に露出せず、これによってコンクリートスラブ内への錆の侵入を防止することができる。
【００３９】
また、支持脚１６が全ねじ棒２０と長ット２２とを備えていることにより、型枠６の上面６ａからの枠体１２の高さ位置を正確に調整することができ、さらに全ねじ棒２０を長さの異なるものに交換することによって、床１の厚さが異なる床１に対しても対応することができる。
【００４０】
さらに、枠体１２が開口部２に近接している場合等においては、枠体１２の床に対向する表面に防水用パッキンを取り付けることによって、この防水性をさらに高めることができる。
【００４１】
次に、開口部２を利用する必要性が消滅した場合には、枠体１２の上面に突出する固定部材１４の二重ナット２９，２９を回動して、支持脚１６の長ナット２２から取り外すことにより、枠体１２を床面１ａから撤去して再利用することができる。本実施の形態の場合、枠体１２の外表面は円形の断面形状を有しているが、円形以外に、逆台形のような下方が狭まった断面形状を有するものであれば撤去は容易である。
【００４２】
枠体１２を床面１ａから撤去した跡には、図８に示すように、支持脚１６が床１内に残され、かつ床面１ａ上に窪み１ｃが残るが、この窪み１ｃは、開口部２をコンクリートで埋めるときに埋めておけばよい。
【００４３】
次に、図９〜図１１は本願第２の発明による防水装置の一実施の形態を示し、図９（ａ）は床の開口部に装着した状態を示す概略的平面図、図９（ｂ）は概略的底面図、図１０はこの防水装置を開口部に対し着脱するときの途中の状態を示す図９（ａ）の１０−１０線に沿った拡大断面図、図１１開口部に装着した状態を示す図９（ａ）の１０−１０線に沿った拡大断面図はである。
【００４４】
本実施の形態の形態の防水装置３０は、床１に形成された長方形の開口部２を覆うように床面１ａ上に載置される蓋部材３２と、開口部２の長辺の長さよりもかなり短いが、開口部２の短辺の長さよりも長く形成されて、開口部２の短辺の対向縁間に橋架することが可能な一対の橋架部材３４，３４と、蓋部材３２と各橋架部材３４とをそれぞれ連結して上下方向に延びる全ねじ棒からなる連結部材３６，３６とを備えている。蓋部材３２の下面の周縁部にはこの周縁に沿って防水用パッキン３８が取り付けられている。
【００４５】
各連結部材３６の下端部は、橋架部材３４の略中心に挿通され、かつ連結部材３６に螺装された一対のナット４０，４０が橋架部材３４の両面側から締着されていることによって、橋架部材３４は連結部材３６と直交するように連結部材３６の下端部に固定されている。
【００４６】
連結部材３６の上端部は、蓋部材３２を貫通して蓋部材３２の上面３２ａから突出し、この突出部に、例えば蝶ナットのような、回動操作の容易な操作ナット４２が螺装され、さらに連結部材３６の上端部には、連結部材３６を介しての橋架部材３４の回動操作が容易なように、二重ナット４４，４４が螺着かつ固定されている。
【００４７】
以上の構成において、この防水装置３０を開口部２に設置するときには、操作ナット４２，４２を緩めて連結部材３６，３６を回動可能にした後、連結部材３６，３６を回動して、橋架部材３４，３４を図９（ｂ）に仮想線で示すように、蓋部材３２の長手方向に向かせる。そして、橋架部材３４，３４を開口部２内に挿入し、図１０に示すように、蓋部材３２を床面１ａ上に載置して開口部２を覆う。なおこの図１０に示す状態では、各橋架部材３４が回転可能なように、すなわち、橋架部材３４の上面３４ａが、床１の下面１ｂよりも若干下方に位置するように連結部材３６の長さが設定される。
【００４８】
次に、各連結部材３６の上端の二重ナット４４，４４を約９０度回動することにより、橋架部材３４，３４を図９（ｂ）に実線で示す位置に回動させ、橋架部材３４，３４が開口部２の短辺方向の対向縁間に橋架可能な状態とする。そして、この状態のまま、蓋部材３２の上面３２ａ上にある操作ナット４２，４２を締め込むと、橋架部材３４，３４が各連結部材３６とともに上方に引き上げられ、図１１に示すように、蓋部材３２と橋架部材３４，３４との間に床１が挟み込まれた態様で、蓋部材３２が防水用パッキン３８を介して床面１ａに圧接され、これによって、開口部２の周囲の床面１ａ上に溜まった水がこの開口部２の周縁から下層の階に流下するのを防止することができる。なお、蓋部材３２が床面１ａの凹凸に応じて変形可能な材料で形成されている場合には、防水用パッキン３８を省略することができる。
【００４９】
次に、この防水装置３０を開口部２から撤去する場合には、操作ナット４２，４２を緩めて各橋架部材３４を下方へ移動させて、床１の下面１ｂから離間させた後、連結部材３６，３６を略９０度回動して、図９（ｂ）の仮想線および図１０に示すように、橋架部材３４，３４を蓋部材３２の長手方向に向かせる。これによって、橋架部材３４，３４が開口部２を通過可能になるから、防水装置３０を撤去することが可能になる。
【００５０】
このように、本実施の形態においては、開口部２を覆って床面１ａ上に載置される蓋部材３２と、開口部２を上下に通過可能であるが、向きを変えることにより、床１の下面１ｂ側において開口部２の短辺方向の対向縁間に橋架することが可能な長さを有する橋架部材３４，３４と、蓋部材３２と橋架部材とを連結する全ねじ棒からなる連結部材３６，３６と、蓋部材３２の上面側からの操作により、床１の下面１ｂ側において開口部２の対向縁間に橋架された橋架部材３４，３４を連結部材３６，３６とともに上方へ移動させて、蓋部材１２と橋架部材３４，３４との間に床１を挟み込む態様で蓋部材３２を床面１ａに圧接させる操作ナット４２，４２とを備えていることにより、開口部２の周囲の床面１ａ上に溜まった雨水がこの開口部２の周縁から下層の階に流下するのを防止することができるとともに、橋架部材３４，３４を床面１ａ側から下面１ｂに橋架させることがでるので、蓋部材３２を開口部２に固定する作業、およびこの蓋部材３２を開口部２から撤去する作業が、床面１ａ側からの一人の作業者の操作によって行なうことができる利点がある。
【図面の簡単な説明】
【図１】本願第１の発明による防水装置の一実施の形態を設置した床の開口部を示す平面図
【図２】本願第１の発明による防水装置の一実施の形態の構成を示す分解斜視図
【図３】図２の防水装置の要部の拡大断面図
【図４】床の形成に先立って図２の防水装置を所定位置に配置した状態を示す断面図
【図５】コンクリート打込み後の状態を図２に対応させて示す断面図
【図６】図５の要部の拡大断面図
【図７】床の形成後の要部の拡大断面図
【図８】枠体を取り外した状態を示す要部の拡大断面図
【図９】図９（ａ）は、本願第２の発明による防水装置の一実施の形態を床の開口部に装着した状態を示す概略的平面図、図９（ｂ）は概略的底面図
【図１０】防水装置を開口部に対し着脱するときの途中の状態を示す図９（ａ）の１０−１０線に沿った拡大断面図
【図１１】防水装置を開口部に装着した状態を示す図９（ａ）の１０−１０線に沿った拡大断面図
【符号の説明】
１    床
２    開口部
６，７    型枠
１０，３０    防水装置
１２    枠体
１４    固定部材
１６    支持脚
３２    蓋部材
３４    橋架部材
３６    連結部材
３８    防水用パッキン
４２    操作ナット
【図１】
2004270251.tif 000003
【図２】
2004270251.tif 000004
【図３】
2004270251.tif 000005
【図４】
2004270251.tif 000006
【図５】
2004270251.tif 000007
【図６】
2004270251.tif 000008
【図７】
2004270251.tif 000009
【図８】
2004270251.tif 000010
【図９】
2004270251.tif 000011
【図１０】
2004270251.tif 000012
【図１１】
2004270251.tif 000013